(57)【要約】【課題】無線通信における各種の設定を容易且つ確実に行うことができる補聴器を提供する。【解決手段】本発明の補聴器は、電池と、無線通信を行う機能を含む補聴器の動作を制御する制御手段と、電池から制御手段への電力の供給又は遮断を切り替える電源スイッチと、制御手段に接続される磁気スイッチと、を備え、制御手段は、電源スイッチによって電池から電力が供給されると、起動プロセスを経て通常動作に移行するものであって、且つ起動プロセス時に磁気スイッチがオンである場合は通常動作に移行する前に無線通信設定を切り替えることを特徴とする。【選択図】図２
2019125893.tif 000002
【特許請求の範囲】
【請求項１】
電池と、
無線通信を含む補聴器の機能を制御する制御手段と、
前記電池から前記制御手段への電力の供給又は遮断を切り替える電源スイッチと、
前記制御手段に接続される磁気スイッチと、を備え、
前記制御手段は、前記電源スイッチによって前記電池から電力が供給されると、起動プロセスを経て通常動作に移行するものであって、且つ前記起動プロセス時に前記磁気スイッチがオンである場合は通常動作に移行する前に無線通信設定を切り替えることを特徴とする補聴器。
【請求項２】
補聴器本体と、該補聴器本体に対して開閉可能な電池カバーとを備え、
前記電源スイッチは、前記電池カバーを閉じることで前記制御手段への電力の供給を行う一方、該電池カバーを開くことで該制御手段への電力を遮断するよう構成されることを特徴とする請求項１に記載の補聴器。
【請求項３】
前記無線通信設定の切り替えにより、電波の発射が停止されるように無線通信が設定されることを特徴とする請求項１又は２に記載の補聴器。
【請求項４】
前記無線通信設定の切り替えにより、無線通信を行う相手側との無線通信の接続の確立が行われることを特徴とする請求項１又は２に記載の補聴器。
【発明の詳細な説明】
【技術分野】
【０００１】
本発明は補聴器に関するものであり、特に、無線通信を行う機能を備える補聴器に関する。
【背景技術】
【０００２】
従来、補聴器においては、他の機器との無線通信を行う機能を備えるものが知られている。このような機能を利用すれば、他の機器から補聴器を操作することが可能である。例えば補聴器から出力される音の音量を、他の機器から調整することができる。また補聴器が、出力音の音質を変更する各種のパラメータをメモリに複数記憶させている場合には、他の機器からの指令に基づいて、メモリに記憶しているパラメータを選択して切り替えることによって、周囲の環境に適応した音質で出力することができる。また、他の機器が電話機能や音楽再生機能を有するものである場合には、通話音声や音楽を補聴器から直接出力することもできる。更に、補聴器を両耳に装着する場合においては、補聴器同士で無線通信が行えるようにしておき、一方の補聴器の音量や音質を調整すれば、他方の補聴器も連動して調整されるように構成することもできる。
【０００３】
ところで航空機においては、運航の安全に支障を来すおそれがあることから、無線通信機能を有する機器の利用が制限されている。例えば、航空機外の機器との無線通信は一般に禁止されており、また無線通信を行う相手側の機器が航空機内にあっても、航空機の種類によっては無線通信の使用が禁止されている。このため、無線通信を行う機能を備える補聴器も、このような制限下では電波を発しない状態にする必要がある。
【０００４】
補聴器において電波の発射が停止される状態（以下、機内モードと称する）にするには、例えば指で直接操作することのできる構造的なスイッチが補聴器本体に設けられている場合は、これを長押ししたり、複数のスイッチを同時に押したりすることによって機内モードに切り替えることが可能である。また、特許文献１に記載されているように電池カバーを利用することによっても実現可能である。特許文献１では、電池カバーの開閉操作の繰り返しに応じて、補聴器の基本的な補聴動作は維持したままで無線通信機能は無効にすることができる補聴器について開示している。
【先行技術文献】
【特許文献】
【０００５】
【特許文献１】特開２０１４−９０４０７号公報
【発明の概要】
【発明が解決しようとする課題】
【０００６】
しかしながら、耳あな型や小型の耳かけ型の補聴器などでは、スペースの都合上、構造的なスイッチを備えていないことも多く、この場合は他の手段で機内モードに切り替えなければならない。また、特許文献１のように電池カバーを繰り返し開閉することは、電池を落としてしまう蓋然性が高くなるうえ、正しく操作されたかも分かりにくく、操作も煩わしいという問題がある。また、補聴器の電源をオン・オフするために電池カバーを開閉する場合において、意図せずに電波を発しない状態に切り替わっている可能性もある。
【０００７】
また、補聴器と他の機器との無線通信を行うにあたって、例えばＢｌｕｅｔｏｏｔｈ（登録商標）による通信方式を利用する場合は、予め相手側の機器との接続を確立するためのペアリングを行っておく必要がある。この場合、構造的なスイッチを備える補聴器においては、例えばスイッチを長押しすることによってペアリングを受け付けるペアリングモードに移行させることが可能であるが、上述したように耳あな型や小型の耳かけ型の補聴器などでは、この手段は採用できないことがある。また、電源をオンすると通常動作が行われる前にペアリングを受け付ける状態に設計することも可能であるが、接続毎にペアリング作業を必要とし煩わしさがある。
【０００８】
本発明はこのような問題点を解決することを課題とするものであり、無線通信における各種の設定を容易且つ確実に行うことができる補聴器を提供することを目的とする。
【課題を解決するための手段】
【０００９】
本発明における補聴器は、電池と、無線通信を含む補聴器の機能を制御する制御手段と、前記電池から前記制御手段への電力の供給又は遮断を切り替える電源スイッチと、前記制御手段に接続される磁気スイッチと、を備え、前記制御手段は、前記電源スイッチによって前記電池から電力が供給されると、起動プロセスを経て通常動作に移行するものであって、且つ前記起動プロセス時に前記磁気スイッチがオンである場合は通常動作に移行する前に無線通信設定を切り替えることを特徴とする。
【００１０】
このような補聴器においては、補聴器本体と、該補聴器本体に対して開閉可能な電池カバーとを備え、前記電源スイッチは、前記電池カバーを閉じることで前記制御手段への電力の供給を行う一方、該電池カバーを開くことで該制御手段への電力を遮断するよう構成されることが好ましい。
【００１１】
また前記無線通信設定の切り替えにより、電波の発射が停止されるように無線通信が設定されることが好ましい。
【００１２】
また前記無線通信設定の切り替えにより、無線通信を行う相手側との無線通信の接続の確立が行われるものでもよい。
【発明の効果】
【００１３】
このような本発明の補聴器によれば、従来のように電池カバーを繰り返し開閉して電源をオン・オフさせる必要がないため、無線通信における各種の設定を容易且つ確実に行うことができ、また電池を落下させるリスクも減らすことができる。また磁気スイッチを利用していることから、サイズの小さな補聴器にも適用できるうえ、電波の発射が停止される状態に意図せずに切り替わることもない。
【図面の簡単な説明】
【００１４】
【図１】本発明に従う補聴器の一実施形態を示した図である。
【図２】本発明に従う補聴器における制御手段の動作を示したフローチャートである。
【図３】本発明に従う補聴器の他の実施形態を示した図である。
【発明を実施するための形態】
【００１５】
以下、図面を参照しながら本発明に従う補聴器の一実施形態について説明する。本実施形態の補聴器１は、図１に示すように耳あな型の補聴器であって、本体ケース２及びフェースプレート３を外殻とする補聴器本体４と、補聴器本体４に対して開閉可能な電池カバー５とを備えている。
【００１６】
補聴器本体４は、図示は省略するが、音を電気信号に変換するマイクロホンや、マイクロホンから出力される電気信号を装着者の聴力に適合するように処理する制御手段、制御手段によって処理された電気信号を音に変換するイヤホンなども備えていて、これらによって補聴器の基本動作を実現している。また補聴器本体４は、出力音の音質を変更するための各種パラメータを複数記憶したメモリや、他の機器と無線通信を行う無線通信手段も備えていて、制御手段はこれらに関わる動作も制御する。
【００１７】
ここで、無線通信手段で使用する無線通信方式は、例えばＢｌｕｅｔｏｏｔｈ（登録商標）、ＮＦＣ（Ｎｅａｒ Ｆｉｅｌｄ Ｃｏｍｍｕｎｉｃａｔｉｏｎ）が挙げられるが、これらに限られるものではなく、Ｗｉ−Ｆｉ、ＺｉｇＢｅｅ（登録商標）などでもよい。
【００１８】
また補聴器本体４は、電池カバー５を開くことによって電池を装着することが可能な電池収納部を備えている。本実施形態では、図１（ａ）に示すように電池カバー５を開いた状態では、制御手段への電力は遮断されるが、図１（ｂ）に示すように電池収納部に電池を収めて電池カバー５と閉じると制御手段に電力が供給されるように構成している。なお、電池から制御手段への電力の供給又は遮断を切り替える電源スイッチとしては、指で直接操作することのできる各種のスイッチでもよい。
【００１９】
更に補聴器本体４は、制御手段に接続され、外部磁界の変化に応じてオン・オフが切り替わる磁気スイッチも備えている。磁気スイッチとしては、磁気抵抗効果を利用したＭＲ素子、ホール効果を利用したホール素子、巨大磁気抵抗効果を利用したＧＭＲ素子など、様々な素子によるものを採用することができる。
【００２０】
次に、上述した制御手段の動作について、図２を参照しながらより詳細に説明する。まず、制御手段に対して電池からの電力が供給される。本実施形態では、開いた状態の電池カバー５を閉じることで、電池から電力が供給される。そして電力が供給された制御手段では、起動プロセスが開始される。起動プロセスでは、例えば通常動作を行うための各種プログラミングの読み込みなどが行われる。更に制御手段は、起動プロセス中に磁気スイッチがオンかオフかを監視している。そして起動プロセス終了までに磁気スイッチがオンにならなければ（オフのままであれば）、他の機種との無線通信を行う機能も維持された通常動作が開始される。
【００２１】
なお、本実施形態の制御手段は、無線通信を行う機能を利用することによって、接続された他の機器からの操作を受け付けるよう構成されている。これにより、他の機器からの指令に基づいて、音質に関わる各種のパラメータをメモリから呼び出してこれらを切り替えることによって、周囲の環境に適した音質で音を出力させることができる。また出力される音の音量調整も他の機器から行うことができる。加えて、他の機器が電話機能や音楽再生機能を有するスマートフォンの如きものである場合には、通話音声や音楽を補聴器１から直接出力することも可能である。更に他の機器が、両耳に装着する場合のもう一方の補聴器である場合は、何れか一方の補聴器の音質や音量を調整すれば、もう一方の補聴器も連動して調整されるようにすることも可能である。
【００２２】
音質を変更するためのパラメータの切り替えは、通常動作時において耳に装着した補聴器１に磁石を近づけるなどして、磁気スイッチをオン・オフすることによっても行うことができる。なお、通常動作時に磁気スイッチがオンになっても、後述する無線通信設定が切り替わることはない。
【００２３】
一方、図２に示すように起動プロセス中に磁気スイッチがオンである場合は、無線通信設定が切り替わる。具体的には、電池カバー５を開いた状態で装着前の補聴器１を磁石に近づけ、そのまま電池カバー５を閉じればよい。このように、無線通信設定を切り替えるには、補聴器１を磁石に近づけた状態で電池カバー５を一回閉じるだけで済むため、操作が簡単であり、また電池を落としてしまうリスクも低くなる。また磁石が手元になければ、携帯電話等の磁石を利用したスピーカ付近に補聴器１を近づけることでも代用することができる。
【００２４】
無線通信設定は、例えば、補聴器１が航空機内で使用されることを想定して、通常動作において電波の発射を停止する機内モードに設定されるようにしてもよい。また、Ｂｌｕｅｔｏｏｔｈ（登録商標）による無線通信方式のように、予め相手側の機器との接続を確立するペアリングを行う必要がある場合には、無線通信設定の切り換えによって相手側とのペアリングを受け付けるようにしてもよい。
【００２５】
そして無線通信設定の切り替えが完了すると、起動プロセスも終了して通常動作へ移行する。なお、無線通信設定を機内モードに設定した場合には、通常動作においては、無線通信に関わる機能を除いて補聴器１の動作は維持される。
【００２６】
なお、機内モードに設定された場合でも、耳に装着した補聴器１に磁石を近づけるなどして磁気スイッチをオン・オフすれば、音質を変更するためのパラメータを切り替えることができる。
【００２７】
以上、本発明に従う補聴器の一実施形態について説明したが、本発明は上述した実施形態に限定されるものではなく、特許請求の範囲に従う範疇で種々の変更を加えたものも含む。
【００２８】
例えば、本発明に従う補聴器は、図１に示した耳あな型に限られるものではなく、例えば図３に示すような耳かけ型であってもよい。この補聴器６は、補聴器本体７と、補聴器本体７に対して開閉可能な電池カバー８と、補聴器本体７に接続され、先端にイヤチップ（不図示）を備える音導チューブ９とを備えている。また補聴器本体７は、前述の補聴器本体４と同様に、マイクロホン、制御手段、イヤホンなどの他、メモリや無線通信手段、磁気スイッチ等を備えている。なお本実施形態では、電池は電池カバー８に装着されるように構成されている。このような補聴器６においても、図３（ａ）に示すように開いた電池カバー８に対して電池を装着し、更に図３（ｂ）に示すように電池カバー８を閉じれば、制御手段に電池の電力が供給される。そして、起動プロセス中に磁石を近づけなければ無線通信を行う機能も有効に維持された通常動作へ移行する一方、起動プロセス中に磁石を近づければ、機内モード等に設定することができる。
【符号の説明】
【００２９】
１：補聴器
２：本体ケース
３：フェースプレート
４：補聴器本体
５：電池カバー
【図１】
2019125893.tif 000003
【図２】
2019125893.tif 000004
【図３】
2019125893.tif 000005